(57)【特許請求の範囲】
【請求項１】
取付ナットと、前記取付ナットの外周面に開閉可能に取り付けられた補強桟と、前記補強桟を開く方向に作用するばね部材とを一体にした補強部と、固定座とよりなり、パイプ等を取り付けるために壁にあけられた穴より取付ナット、補強桟、ばね部材を一体にした補強部を挿入することによりばね部材の作用により補強桟が開き壁の反対側に圧着させ又、前記固定座を取り付けた後にパイプを取り付けるためのボルトを前記ナットに固定することを特徴とする補強部材。
【請求項２】
前記ナットに取り付け可能な取付棒を更に備え、前記取付棒を前記ナットに取り付けて前記壁の穴への一体化された取付ナット、補強桟、ばね部材と固定座との取り付け作業を行なった後に前記取付棒をはずすようにしたことを特徴とする請求項１の補強部材。
【発明の詳細な説明】
【０００１】
【発明の属する技術分野】
本発明は、建築物内装壁面等に手摺等を取り付ける際、壁板等の補強用としての補強部材に関するものである。
【０００２】
【従来の技術】
従来壁板等に手摺等を取り付けるためには、図９に示すような手段が用いられる。即ち、この図に示すように、手摺２０の先端に設けられたブラケット４１と、ナット４２と、取付座４４等の部品よりなり、取り付けるべき壁面にパッキン４５を介して取付座４４を固定し、ナット４２により取付座４４に固定することにより取り付ける。つまり取付座４４とパッキン４５をその中央の穴４４ｂ，４５ｂを通して六角ボルト４６およびばか穴４４ｃ，４５ｃを通してビス４７によりねじ止めして壁に固定する。一方手摺２０のブラケット４１の端面４１ｂにナット４２の端面４２ｂを合わせ締付ボルト４３をブラケット４１のねじ穴４１ａにボルト４３のねじ４３ａを螺合してナット４２をブラケット４１に対し回動可能に取り付ける。
【０００３】
上記のようにナット４２を取り付けた手摺２０を取付座４４のねじ４４ａをナット４２のねじ４２ａに螺合して取り付けることにより、壁面に手摺を固定するものである。
【０００４】
このような手段により壁に手摺２０を取り付けた場合、壁に対してはボルト４６の締付のみにより固定されるため、取り付け後の強度に問題がある。
【０００５】
一般に、手摺等を壁に取り付ける場合、家等の建物の内装部分（板張り部分）に取り付けられることになり、壁の板厚は例えば１０ｍｍ程度と薄く、このように薄い板に直径３０ｍｍ程の穴をあけてボルトにより固定するために十分な強度が得られない欠点があった。
【０００６】
また、手摺等を壁等に取り付ける他の手段として本出願人が開発した特願平１０−１６５８６１号の固定金具を用いることができる。
【０００７】
この固定金具は図１０に示す通りの構成で、５１は固定金具本体で、中央の部分に円筒状で図において上部から下部に貫通させた空間部５１ａと、この空間部の内壁面に設けられた凹部５１ｂとを有する。又、この固定金具本体５１の空間部内壁面に形成された凹部５１ｂには締付部材５２、５３が２枚の押え板５４、５５にピン５６、５７により夫々回動可能に保持された状態でその一部が空間部５１ａ内に出るように取り付けられている。又、５８はスプリングでその両端が夫々締付部材５２、５３に掛けられ、このスプリング５８によって両締付部材の先（空間部５１ａの側）が互いに開くような力が働いている。又５９はねじである。６０は締付部材受け部、６１、６２はいずれも平座金で、これら締付部材受け部６０、平座金６１、６２はボルト６３により壁等に固定される。又本体５１のパイプ取付部７１にはパッキン７３を介してパイプ７２が固定されている。又９０はキャップで固定金具本体５１の空間部５１ａの上側の開口に嵌合される。
【０００８】
又、８０は締付部材受け部８１、パイプ取付部８２を有する他の本体で、パイプ取付部８２にはパッキン８４を介してパイプ８３が取り付けられる。
【０００９】
また図１１は、固定金具本体の部分を組み立てた状態にて示してある。しかしこの図では、図１０におけるキャップ９０を単なるキャップではなく、手摺８３を取り付けるための本体８０と同様に締付部材受け部９１を有するキャップが用いられておりまた固定金具本体５１にはパイプ（手摺）７２等は図示していないが、実際にはパイプ７２が取り付けられている。
【００１０】
この固定金具を用いる場合、前述のようにボルト６３を利用して締付部材受け部６０を壁に取り付ける。その後に固定金具本体５１を図面上方より嵌合し更にキャップ９０をに挿入すれば図１１に示す状態になる。この状態にて固定金具本体５１に上方に向けての力が働いた場合、締付部材５２の角の部分が夫々壁に固定されている締付部材受け部６０の斜面Ａにてかみ合い、抜けることはない。又、キャップ９０に上方に力が働いた場合は、締付部材受け部９１の斜面Ｂと締付部材５３とがかみ合うためキャップが抜けることがない。
【００１１】
このような固定金具を用いて手摺等を取り付ける場合も、その締付部材受け部６０は、ボルト６３にて固定されているのみであるため、壁の強度の点で問題がある。
【００１２】
【発明が解決しようとする課題】
前述の図８又は図９に示すような手段を用いて手摺等を壁に取り付ける場合、いずれも壁板に穴をあけて、この穴を利用してボルトにて締めつけて固定している。
【００１３】
そのため壁板の穴を形成した部分つまり手摺等を取り付けた部分の強度が弱くなる欠点があった。
【００１４】
本発明は、上記欠点を解消するためになされたものであって、穴をあけた部分の強度を補うためのものであって、取り付けが簡単であり、しかも穴の周囲を均等に、十分に補強することを可能にする補強部材を提供するものである。
【００１５】
【課題を解決するための手段】
本発明の補強部材は、取付ナットの外周面にナット周辺に向けて開閉可能に取り付けられている補強桟（一般に複数等間隔に設けられる）と、この補強桟を開く方向に作用するばね部材とを有する補強部と、壁に固定される固定座とを備えていて、取付ナット、補強桟、ばね部材とよりなる補強部を補強桟を閉じた状態にて壁に開けられた穴より挿入し、この補強部の挿入により補強桟がばねの力により壁の挿入側とは反対側にて開いた後にこの反対側の面に接するようにし、又固定座を壁の穴に固定し取り付け、更に取付ナットに螺合してパイプ（手摺）等を取り付ける為に用いられるボルトを固定座から挿入して取付ナットに螺合して締付固定するものである。
【００１６】
これによって、本発明の補強部材の補強桟は、壁の反対側の面に圧着されこれによって補強作用を有することになる。
【００１７】
ここで、補強桟を複数用いると共に等間隔に配置すれば、十分な補強が可能になり又均等な補強が可能になる。
【００１８】
【発明の実施の形態】
次に本発明の実施の形態を説明する。
【００１９】
図１は本発明の補強部材を用いて手摺を取り付けた状態を示す図、図２は本発明の補強部材の構成を示す図で、（Ａ）は分解斜視図、（Ｂ）は組み立てた状態を示す図である。
【００２０】
本発明の補強部材は、図２の（Ａ）に示すように、補強桟１と、取付ナット２と、固定座３と、ばね部材４と、取付棒５とよりなり、図２の（Ｂ）のように組み立てた構造のものである。
【００２１】
また、図３、図４、図５  図６、図７は本発明の補強部材を壁に取り付けるための操作（取付手順）を示す図である。
【００２２】
まず手順の第１として図３に示すように手摺等を取り付けるべき壁１０に穴１０ａをあけ、この穴１０ａに取付棒５を用いて補強部材を挿入する。また手順の第２として補強部材を十分挿入すると、図４に示すように補強桟１等が壁１０の外まで挿入され、ばね部材４の働きにより補強桟１が開かれると共に固定座３を壁１０に取り付ける。更に手順の第３として図５のように取付棒５を手前（矢印方向）に引き、手順の第４として図６のように補強桟１が壁１０の外側（手摺を取り付ける側とは反対側）に圧着させる。ここで、固定座３をまわし固定座３のねじ３ａと取付ナット２の他のねじ２ｂとにより取付ナット２と固定座３とを結合させる。その後、手順の第５として取付ナット２のねじ２ａに取り付けられていた取付棒５を抜き取る。取付棒５を抜き取った後に取付棒５のねじ５ａとは反対側に設けてある突起（マイナスドライバー）５ｂと固定座３に形成されている溝３ｂとを嵌合させ、取付棒５を利用して取付ナット２を固定座３に対し十分な締め付けを行なって、両者を確実に固定する。これにより、図７に示すように本発明の補強部材は、壁１０に固定される。
【００２３】
このようにして、壁１０に固定された本発明の補強部材にボルトを用いて、例えば前述の図１０に示す固定金具の締付部材受け部６０等を固定する。つまり前述の固定金具の締付部材受け部６０平座金６１、６２をボルト６３を本発明の補強部材の取付ナット２に螺合することにより、本発明の補強部材と締付部材受け部６０とは一体になり両者は壁１０に動き得ないように取り付けられる。ここで前述の固定金具の本体５１を嵌合固定させれば、図１に示すように手摺が壁１０に取り付けられることになる。
【００２４】
尚、図１において、本発明の補強部材を取り付ける壁１０と奥壁１１の間隔ｔは異なっており、長さｔが補強桟の長さよりも小である場合、補強桟を挿入することができない。したがって補強桟の長さの異なる補強部材を用意し、長さｔに応じて使いわけることが望ましい。この場合短い補強桟の補強部材でも補強は可能である。また最も望ましい長さの補強桟を備えた補強部材を用い、長さｔが補強桟よりも小である場合、補強桟を適当な長さに切断して使用してもよい。
【００２５】
また、壁１０は板厚が、例えば５ｍｍ〜２５ｍｍの間の各種のものが用いられる。そのため板厚により固定座３は厚板に応じてねじ３ａの長さが適切な長さのものを用いる必要がある。又図８に示すように固定座３のねじを例えば１０ｍｍ程度の通常のねじ３Ａの先に二つ又は三つに分断されたねじ３Ｂ、３Ｃを（長さ１５ｍｍ程度）を有するねじとし、板厚に応じて、３Ｂ、３Ｃを切断して用いることも可能である。
【００２６】
ここで、壁１０の手摺が取り付けられた面と反対側の面に、本発明の補強部材の補強桟が開いた状態にて壁１０に圧着されるため、壁１０に対し十分な補強作用が得られる。しかも図２に示すように８枚の補強桟がほぼ等間隔に配置され壁に圧着されるため、壁は穴のまわりの広い範囲にわたって、比較的均等に補強される。
【００２７】
尚補強桟は８枚に限ることなく、枚数が多ければそれだけ補強効果が大になる。したがって壁の厚さに応じて適切な補強効果が得られるようになし得る。
【００２８】
図１は図１０に示す固定金属を用いて手摺等を壁に取り付ける場合について示してあるが、例えば図９に示す手段による手摺等の取り付けの際にも本発明の補強部材を用いることができる。
【００２９】
即ち、図９において取付座４４とパッキン４５をボルト４６により壁に取付ける際に、壁に本発明の補強部材を取付けた後に、ナット２にボルト４６を螺合することにより本発明の補強部材と取付座４４、パッキン４５とを一体に取付け、取付座のねじ４４ａに手摺２０等を組み合わせたナット４２を螺合することにより本発明の補強部材と取付座４４等を一体化して壁に取付けることにより補強効果を得ることができる。
【００３０】
以上述べた二つの手摺等の取付手段のほかに、一般にボルトを利用して壁に手摺等を固定する場合すべてに本発明の補強部材は適用可能であり、そして補強部材を得ることが可能である。
【００３１】
【発明の効果】
本発明の補強部材によれば、従来補強が困難なつまり部品の挿入取付けが不可能な壁の裏面に簡単な作業により取付けが可能である。これによって板厚の薄い壁の補強が可能になる。
【図面の簡単な説明】
【図１】  本発明の補強部材を壁に取付た状態を示す図
【図２】  本発明の補強部材の分解斜視図
【図３】  本発明の補強部材の取付手順を示しその第１を示す図
【図４】  同取付手順の第２を示す図
【図５】  同取付手順の第３を示す図
【図６】  同取付手順の第４を示す図
【図７】  同取付手順の第５を示す図
【図８】  本発明の補強部材の固定座の他の形状を示す図
【図９】  従来の手摺の取付手段を示す図
【図１０】  従来他の手摺の取付手段を示す図
【図１１】  図１０に示す取付手段の一部を拡大して示した図
【符号の説明】
１    補強桟
２    取付ナット
３    固定座
４    ばね部材
５    取付棒
【図１】
0003653692.tif 000002
【図２】
0003653692.tif 000003
【図３】
0003653692.tif 000004
【図４】
0003653692.tif 000005
【図５】
0003653692.tif 000006
【図６】
0003653692.tif 000007
【図７】
0003653692.tif 000008
【図８】
0003653692.tif 000009
【図９】
0003653692.tif 000010
【図１０】
0003653692.tif 000011
【図１１】
0003653692.tif 000012